(57)【要約】【課題】宣伝広告効果に優れたタックラベル付き容器とタックラベルを提供する。【解決手段】胴部５と該胴部５の上側に位置して上方に向けて徐々に細くなっていく肩部６と該肩部６の上側に位置する口部７とを備えた容器１に、タックラベル１０が貼着されたタックラベル付き容器であって、タックラベル１０は、容器１に貼着された貼着部１１と、容器１の肩部６又は口部７の外側に離間している離間部とを備え、該離間部には、そこを通して見た容器１が拡大されて見える拡大レンズ部が設けられている。【選択図】図１
2016030642.tif 000002
【特許請求の範囲】
【請求項１】
物品にタックラベルが貼着されたタックラベル付き物品であって、
タックラベルは、物品に貼着された貼着部と、物品から離間している離間部とを備え、該離間部には、そこを通して見た物品が拡大されて見える拡大レンズ部が設けられていることを特徴とするタックラベル付き物品。
【請求項２】
胴部と該胴部の上側に位置して上方に向けて徐々に細くなっていく肩部と該肩部の上側に位置する口部とを備えた容器に、タックラベルが貼着されたタックラベル付き容器であって、
タックラベルは、容器に貼着された貼着部と、容器の肩部又は口部の外側に離間している離間部とを備え、該離間部には、そこを通して見た容器が拡大されて見える拡大レンズ部が設けられていることを特徴とするタックラベル付き容器。
【請求項３】
容器本体の口部にキャップが装着され、該キャップの外周面から容器本体の肩部までの間に表示部が設けられ、該表示部を視認可能な位置に拡大レンズ部が設けられている請求項２記載のタックラベル付き容器。
【請求項４】
拡大レンズ部の少なくとも一部は、表示部よりも高い位置に設けられている請求項３記載のタックラベル付き容器。
【請求項５】
容器の肩部又は口部が円筒状であり、拡大レンズ部は略平面となっている請求項２乃至４の何れかに記載のタックラベル付き容器。
【請求項６】
物品に貼着される貼着部と、物品への貼着状態において物品から離間する離間部とを備え、該離間部には、そこを通して見た物品が拡大されて見える拡大レンズ部が設けられていることを特徴とするタックラベル。
【請求項７】
胴部と該胴部の上側に位置して上方に向けて徐々に細くなっていく肩部と該肩部の上側に位置する口部とを備えた容器に貼着されるタックラベルであって、
容器に貼着される貼着部と、容器への貼着状態において容器の肩部又は口部の外側に離間する離間部とを備え、
該離間部には、そこを通して見た容器が拡大されて見える拡大レンズ部が設けられていることを特徴とするタックラベル。
【発明の詳細な説明】
【技術分野】
【０００１】
本発明は、例えばキャンペーン用等に使用されるＰＯＰラベル等のタックラベルが貼着されたタックラベル付き物品及びタックラベル付き容器と、該タックラベル付き物品やタックラベル付き容器に使用されるタックラベルに関する。
【背景技術】
【０００２】
例えば、ペットボトル（プラスチックボトル）のような各種の容器には、キャンペーン用としてＰＯＰラベルとも称されるタックラベルが貼着されることがある。該タックラベルは、その裏面全体が容器に貼着されることが多いが、タックラベルをより一層目立たせるために、タックラベルの下部を容器の胴部の上端部に貼着して、タックラベルの上部が容器の肩部や口部から外側に離間した突出状態とされることがある（下記特許文献１，２）。このようにタックラベルの上部が容器の肩部や口部の前側に離間していると、タックラベルが上方に突出ないし起立した状態となるため、タックラベルが目立ちやすくなり、宣伝広告効果が高まる。
【０００３】
しかしながら、近年では、このようにタックラベルの上部を容器の胴部から上方に突出させた貼着形態が多用されるようになってきており、そのような貼着形態でタックラベルが貼着された容器の目立ち具合が従来に比して相対的に低下してきている。そのため、タックラベルの一部を容器から離間させた貼着形態を更に改良して宣伝広告効果を高める工夫が求められている。
【先行技術文献】
【特許文献】
【０００４】
【特許文献１】特開２００２−３５１３３３号公報
【特許文献２】特開２０１３−５４１７３号公報
【発明の概要】
【発明が解決しようとする課題】
【０００５】
それゆえに本発明は上記従来の問題点に鑑みてなされ、宣伝広告効果に優れたタックラベル付き物品及びタックラベル付き容器とタックラベルを提供することを課題とする。
【課題を解決するための手段】
【０００６】
本発明は、上記課題を解決すべくなされたものであって、本発明に係るタックラベル付き物品は、物品にタックラベルが貼着されたタックラベル付き物品であって、タックラベルは、物品に貼着された貼着部と、物品から離間している離間部とを備え、該離間部には、そこを通して見た物品が拡大されて見える拡大レンズ部が設けられていることを特徴とする。
【０００７】
該構成のタックラベル付き物品にあっては、タックラベルの離間部に拡大レンズ部が設けられているので、該拡大レンズ部を通してその向こう側に見える物品が拡大されて見えることになる。即ち、このタックラベル付き物品を見たとき、タックラベルの離間部の拡大レンズ部を通して見える物品が実際のサイズよりも大きく見えることから、タックラベルの視覚的効果が高まることになる。
【０００８】
また、本発明に係るタックラベル付き容器は、胴部と該胴部の上側に位置して上方に向けて徐々に細くなっていく肩部と該肩部の上側に位置する口部とを備えた容器に、タックラベルが貼着されたタックラベル付き容器であって、タックラベルは、容器に貼着された貼着部と、容器の肩部又は口部の外側に離間している離間部とを備え、該離間部には、そこを通して見た容器が拡大されて見える拡大レンズ部が設けられていることを特徴とする。
【０００９】
該構成のタックラベル付き容器にあっては、タックラベルの離間部に拡大レンズ部が設けられているので、該拡大レンズ部を通してその向こう側に見える容器の肩部や口部が拡大されて見えることになる。即ち、このタックラベル付き容器を見たとき、タックラベルの離間部の拡大レンズ部を通して見える容器の肩部や口部が実際のサイズよりも大きく見えることから、タックラベルの視覚的効果が高まることになる。
【００１０】
特に、容器本体の口部にキャップが装着され、該キャップの外周面から容器本体の肩部までの間に表示部が設けられ、該表示部を視認可能な位置に拡大レンズ部が設けられていることが好ましい。キャップの外周面から容器本体の肩部までの間とは、具体的には、キャップの外周面や、キャップの下側に位置する容器本体の口部の下部、あるいは、容器本体の肩部である。その中でも特に、キャップの外周面や容器本体の口部の下部には、表示部として製造番号や製造年月日、賞味期限等が表示されていることがある。このような場合には、それらの表示部を視認できるように拡大レンズ部が設けられていると、拡大レンズ部を通してそれらの表示部を拡大して見ることができ、表示部が小さな文字等であっても容易に判別できる。
【００１１】
更に、拡大レンズ部の少なくとも一部は、表示部よりも高い位置に設けられていることが好ましい。拡大レンズ部を介して表示部を真正面から見る場合に比して、表示部を拡大レンズ部を介して斜め上方から見ると、拡大レンズ部と表示部との間の距離が見かけ上長くなり、拡大率がアップすることになる。従って、拡大レンズ部の少なくとも一部は、表示部よりも高い位置に設けられていることにより、表示部をより一層大きく拡大して見ることができる。
【００１２】
また、容器の肩部又は口部が円筒状であり、拡大レンズ部は略平面となっていることが好ましい。このように拡大レンズ部が略平面であると、円筒状である容器の肩部や口部との間の距離は、横方向に沿って変化することになる。従って、容器の肩部や口部の中央部よりも左右に偏心した部分の方が大きく見えることになり、演出効果が高まる。また、拡大レンズ部を介して容器の肩部や口部を真正面から見るのではなく斜め横方向から見ると、より一層大きく拡大されて見えることになる。
【００１３】
また、本発明に係るタックラベルは、物品に貼着される貼着部と、物品への貼着状態において物品から離間する離間部とを備え、該離間部には、そこを通して見た物品が拡大されて見える拡大レンズ部が設けられていることを特徴とする。
【００１４】
また、本発明に係るタックラベルは、胴部と該胴部の上側に位置して上方に向けて徐々に細くなっていく肩部と該肩部の上側に位置する口部とを備えた容器に貼着されるタックラベルであって、容器に貼着される貼着部と、容器への貼着状態において容器の肩部又は口部の外側に離間する離間部とを備え、該離間部には、そこを通して見た容器が拡大されて見える拡大レンズ部が設けられていることを特徴とする。
【発明の効果】
【００１５】
以上のように、物品や容器から離間しているタックラベルの離間部に拡大レンズ部を設けたことにより、物品や容器の肩部等が実際のサイズよりも大きく見えることから、従来に比して宣伝広告効果が高まる。
【図面の簡単な説明】
【００１６】
【図１】本発明の一実施形態におけるタックラベル付き容器を示す正面図。
【図２】図１のＡ−Ａ断面図。
【図３】同タックラベルが貼着される被着体としての容器を示す正面図。
【図４】同タックラベル付き容器に使用されるタックラベルを示す正面図。
【図５】（ａ）及び（ｂ）は同タックラベルの層構造の一例を示す断面図。
【図６】（ａ）及び（ｂ）は同タックラベルの層構造の一例を示す断面図。
【図７】（ａ）及び（ｂ）は本発明の他の実施形態におけるタックラベル付き容器を示す図２に対応した要部断面図。
【図８】（ａ）は本発明の他の実施形態におけるタックラベル付き容器を示す要部正面図、（ｂ）はそれに使用されるタックラベルの正面図。
【図９】（ａ）は本発明の他の実施形態におけるタックラベル付き容器を示す図２に対応した要部断面図、（ｂ）はそれに使用されるタックラベルの正面図。
【図１０】（ａ）は本発明の他の実施形態におけるタックラベル付き容器を示す図２に対応した要部断面図、（ｂ）はそれに使用されるタックラベルの正面図。
【図１１】本発明の他の実施形態におけるタックラベル付き容器を示す図２に対応した要部断面図。
【図１２】本発明の他の実施形態におけるタックラベル付き容器であって、（ａ）は斜視図、（ｂ）は要部断面図。
【図１３】（ａ）は本発明の他の実施形態におけるタックラベル付き容器を示す斜視図、（ｂ）はそれに使用されるタックラベルの正面図。
【発明を実施するための形態】
【００１７】
以下、本発明の一実施形態に係るタックラベル付き容器について図１〜図６を参酌しつつ説明するが、まず、タックラベル１０が貼着される対象である被着体（物品）としての容器１について説明する。タックラベル１０が貼着される容器１の一例を図３に示している。該容器１は、例えばペットボトル、ボトル缶、ガラス瓶等であり、容器本体とキャップ３とから構成される。図３には開封前の状態を示しており、ミシン目状の開封用切離線３ａを切離することでキャップ３を容器本体の口部７から取り外して開封する構成となっている。容器本体は、底部８と、該底部８から上方に延びて容器本体の大部分を占める胴部５と、該胴部５の上側に位置して上方に向けて徐々に細くなっていく肩部６と、該肩部６の上側に位置する口部７とを備えており、該口部７は、その外周面にキャップ３が螺着されるネジ部（図示省略）が形成され、その上端部が開口部（図示省略）となっていて上方に開口している。容器１は円筒状であるが、例えば容器１の胴部５が角筒状であってもよい。また、キャップ３は螺着される形態に限らず、種々の方式により固定される形態であってもよい。
【００１８】
かかる容器１には熱収縮性ラベル２（シュリンクラベル）が装着されている。該熱収縮性ラベル２は、容器本体の胴部５の略全体を被覆していると共に肩部６の下部所定領域を被覆している。従って、容器本体の肩部６の上部は熱収縮性ラベル２で被覆されておらず露出しており、熱収縮性ラベル２の上端２ａは肩部６の上下方向中途部に位置している。キャップ３及びキャップ３の下側に位置する容器本体の口部７の下部も、同様に、熱収縮性ラベル２が被覆されておらず露出している。尚、熱収縮性ラベル２の下端２ｂは底部８に位置している。尚、この熱収縮性ラベル２の装着形態は一例であって種々の装着形態であってよく、例えば熱収縮性ラベル２の上端２ａが口部７の下部に位置していてもよいしキャップ３に位置していてもよく、また、熱収縮性ラベル２の上端２ａや下端２ｂが胴部５の中途部に位置していてもよい。熱収縮性ラベル２が装着されていない形態であってもよい。自己伸縮性ラベル（ストレッチラベル）や非収縮性ラベル（巻き付けラベル）等であってもよい。
【００１９】
熱収縮性ラベル２には種々の文字や図柄等の表示部（ラベル表示部）が印刷されるが、図３ではそれらの表示部の一つとして、肩部６に位置する熱収縮性ラベル２の部分に表示部２０がポイント的に形成されているものを例示している。図３では、理解しやすいように表示部２０の形状を星形としているが、該表示部２０の形状等も任意である。何れにしても肩部６に位置する熱収縮性ラベル２の部分に何らかの表示部２０が形成されている場合に、後述するタックラベル１０の宣伝広告効果が高まる。また、キャップ３の外周面にも文字等の表示部２１が印刷されている。尚、肩部６の表示部２０やキャップ３の表示部２１と共に、又は、それらに代えて、キャップ３よりも下側に位置する口部７の下部に表示部を設けるようにしてもよい。
【００２０】
以上のような容器１にタックラベル１０が貼着されている。タックラベル１０は、その一部が容器１に貼着されており、残りの部分は容器１に貼着されていない。具体的には、タックラベル１０の下部が容器１に貼着され、上部は容器１に貼着されていない。従って、タックラベル１０は、容器１に貼着された部分である貼着部１１と、容器１に貼着されていない部分である非貼着部１２とに区分され、タックラベル１０の一端側に貼着部１１が設けられ、タックラベル１０の他端側に非貼着部１２が設けられる。図１及び図４において、貼着部１１にはクロスハッチングを施しており、クロスハッチングを施していない部分が非貼着部１２である。後述の図８や図９、図１１、図１２においても同様である。
【００２１】
タックラベル１０は、図１及び図２に示すように、容器１の胴部５の上部に貼着されていて、そこから上方に略垂直に起立するように突出している。尚、図２ではタックラベル１０のみを断面で示している。容器１の胴部５には熱収縮性ラベル２が装着されているため、タックラベル１０は胴部５の上部に位置する熱収縮性ラベル２の部分に貼着されている。タックラベル１０の上端の高さは、キャップ３の天面よりも低い高さであるが、キャップ３の天面と略同じ高さであってもよいし、天面よりも高くてもよい。タックラベル１０の上部は容器１の肩部６や口部７、キャップ３から前方に離間した状態にあり、タックラベル１０の非貼着部１２のうちの大部分が、容器１から側方（径方向外側）に離間した離間部となっている。尚、非貼着部１２の全部が離間部でなくてもよく、例えば非貼着部１２の一部が容器１に接触しているものの貼着されていない状態にあってもよく、その場合には非貼着部１２のうち容器１に接触している部分を除く部分が離間部となる。
【００２２】
タックラベル１０の形状は任意であるが、本実施形態では、図４にも示しているように、下側に位置する相対的に幅狭の幅狭部と、上側に位置する相対的に幅広の幅広部とから構成され、何れも略矩形に形成されているが、他の種々の形状とすることができる。尚、幅広部の幅（横寸法）は、容器１の胴部５の幅以下（本実施形態のように胴部５が円筒状である場合にはその直径以下）としておくと、陳列時や輸送時等においてタックラベル１０が隣の物品に干渉しにくくなって好ましい。
【００２３】
また、本実施形態では、幅狭部の全体が貼着部１１とされ、幅広部の全体が非貼着部１２とされている。但し、幅狭部の上部を非貼着部１２とする等してもよい。そして、貼着状態において、貼着部１１は円筒状である容器１の胴部５に貼着されているので、胴部５の形状に合わせて周方向（横方向）に湾曲しているが、非貼着部１２は容器１には貼着されていないので、実質上湾曲せず略平面の状態となっており、少なくとも肩部６や口部７の曲率よりも小さな曲率とされる。
【００２４】
タックラベル１０はラベル基材１３と該ラベル基材１３の裏面に積層された粘着剤層１４とを備えている。ラベル基材１３は起立性の観点からコシの強い合成樹脂製シートが好ましく、例えば、ポリエステル系樹脂、ポリカーボネート系樹脂からなるシートが挙げられる。粘着剤層１４としては、例えば、アクリル系樹脂、ウレタン系樹脂、スチレン系樹脂などから構成される感圧型粘着剤が挙げられる。粘着剤層１４は、ラベル基材１３の裏面のうち貼着部１１のみに形成されていてもよいが、例えば図５（ａ）のようにラベル基材１３の裏面全体に粘着剤層１４が形成され、その粘着剤層１４の裏面のうちの一部にマスキング層３０が形成されることが好ましい。即ち、マスキング層３０が形成された領域が非貼着部１２となり、マスキング層３０が形成されていない領域が貼着部１１となる。マスキング層３０は、種々のマスキング剤を用いて印刷手法によって形成できる。マスキング剤としては、非粘着性であって紫外線により硬化する層を粘着剤層１４の上に形成できるものが好ましく、紫外線硬化型インキ等が使用できる。尚、図２においては、貼着部１１の箇所を理解しやすいように貼着部１１のみに粘着剤層１４が形成されているように図示しているが、実際には、裏面の全体に粘着剤層１４が形成され、そのうちの非貼着部１２にはマスキング層３０が形成され、貼着部１１にはマスキング層３０が形成されていない。後述する図７等においても同様である。
【００２５】
タックラベル１０の具体的な層構造の代表例をいくつか挙げる。例えば、図５（ａ）のように、ラベル基材１３を拡大レンズシートから構成し、その裏面全体に粘着剤層１４を形成し、その粘着剤層１４の裏面のうち一部にマスキング層３０を形成して、貼着部１１と非貼着部１２とを形成することができる。また、ラベル基材１３に拡大レンズシートを別途ラミネートしてもよく、図５（ｂ）のように、ラベル基材１３の表側に接着剤層３１を介して拡大レンズシート３２を積層してもよい。
【００２６】
拡大レンズシートは、それを通してその向こう側の像を見たときに、その像が実際よりも大きく見える機能を有するものであって、例えば、透明な樹脂シートの片面に微細なピッチでマイクロレンズ部３３が多数条形成されたものである。透明な樹脂シートとしては、例えば、ポリエステル系樹脂や塩化ビニル樹脂、アクリル系樹脂、スチレン系樹脂等の透明度の高い樹脂から構成されたものが好適であり、特に、透明度が高く加工適正のあるポリエステル系樹脂、アクリル系樹脂が好ましい。マイクロレンズ部３３は、押し型によって加熱加圧による成形により樹脂シートの片面に直接形成したり、あるいは、樹脂シートの片面に放射線硬化型樹脂層（例えば、紫外線硬化型樹脂層、電子線硬化型樹脂等）を形成してその表面にレンズ形状を転写して形成したりする。図６（ａ）には、ラベル基材１３の表面に放射線硬化型樹脂層３４を積層し、その放射線硬化型樹脂層３４の表面にレンズ形状を転写することによってマイクロレンズ部３３を形成した例を示している。
【００２７】
尚、拡大レンズシートの具体例としては、例えば、レンズの曲率だけを平面状に並べた、表面平坦なアクリル系のフレネルレンズが挙げられる。該拡大レンズシートは、同心円溝で構成される通常の光学レンズと同様の光学特性を有する。拡大レンズシートの焦点距離は、例えば、１０〜８０ｍｍである。
【００２８】
また、ラベル基材１３の表面又は裏面には必要に応じて所望の表示部（印刷層）を印刷により形成してもよい。ラベル基材１３に表示部を形成していない構成であると、非貼着部１２の全体を拡大レンズ部とすることができる。拡大レンズ部は、そこを通して見た容器１が拡大されて見える部分であって、上述した拡大レンズシート、あるいは、マイクロレンズ部３３によりその機能が発揮される。また、例えば、図６（ｂ）のように、ラベル基材１３の表面に、表示部として、ベタ印刷からなる不透明な印刷層３５を形成し、その表側に放射線硬化型樹脂層３４を積層してそこにマイクロレンズ部３３を形成することができる。この場合、非貼着部１２のうち不透明な印刷層３５が形成されていない部分が拡大レンズ部となる。特に、不透明な印刷層３５の内側にそれが形成されていない領域としての窓部を形成して、該窓部を拡大レンズ部とすることができる。尚、不透明な印刷層３５の内側に窓部を形成する場合、その窓部の領域にも透明性を損なわない程度に印刷により着色層３６を形成してもよい。窓部に着色層３６を形成しない場合にはその窓部においてはラベル基材１３の上に放射線硬化型樹脂層３４が直接積層される。このようにラベル基材１３に表示部を設ける場合、タックラベル１０は、レンズ層（放射線硬化型樹脂層にレンズ形状を転写して形成した層）／表示層（印刷層）／ラベル基材／粘着剤層という層構成となる。また、図６（ｂ）に二点鎖線で示しているように、部分的に拡大レンズ効果を消失する目的で、レンズ層（マイクロレンズ部３３）の上に別途、印刷層３７を設けてもよい。印刷層の印刷方式としては、例えば、フレキソ印刷、レタープレス印刷、グラビア印刷、オフセット印刷等が挙げられる。このように拡大レンズ部の大きさ、形状等は任意である。
【００２９】
以上のように構成されたタックラベル付き容器にあっては、タックラベル１０の非貼着部１２の全体が容器１から離間した離間部とされていてその非貼着部１２に拡大レンズ部が設けられているので、拡大レンズ部を通してその向こう側を見た時に、図１のように容器１の肩部６や口部７、キャップ３が部分的に実際のサイズよりも大きく拡大されて見えることになる。容器１の肩部６や口部７、あるいはキャップ３は、容器１の胴部５に比して細く、小径である一方、タックラベル１０の非貼着部１２は胴部５から上方に起立状態となっているので、タックラベル１０の非貼着部１２と容器１の肩部６や口部７、キャップ３との間には大きな空間が生じることになり、その空間によって大きな拡大率が得られる。従って、購買者に対するアピール力が向上することになり、従来に比して宣伝広告効果が高まるのである。
【００３０】
特に、拡大レンズ部である非貼着部１２がキャップ３の外周面の前方まで延びていて、肩部６の表示部２０やキャップ３の外周面の表示部２１の前方に非貼着部１２が対峙するように位置しているので、それらの表示部２０，２１が拡大レンズ部によって拡大されて見えることになって容易に判別でき、それらの表示部２０，２１が特に小さい文字から構成されている場合に効果が大きい。
【００３１】
また、それらの表示部２０，２１よりも拡大レンズ部である非貼着部１２が上方に延びているので、それらの表示部２０，２１を拡大レンズ部を介して斜め上方から見ることができる。このように表示部２０，２１を斜め上方から見ると、それらを真正面から見る場合に比して、拡大レンズ部と表示部２０，２１との間の距離が見かけ上長くなり、拡大率がアップすることになる。従って、表示部２０，２１をより一層大きく拡大して見ることができる。
【００３２】
また更に、肩部６やキャップ３が円筒状であって拡大レンズ部である非貼着部１２が略平面となっているので、例えば、肩部６の三つの表示部２０のうち中央の表示部２０よりも左右の表示部２０の方が大きく見えることになり、高い演出効果が得られる。しかも、拡大レンズ部である非貼着部１２が肩部６の表示部２０やキャップ３の外周面の表示部２１よりも左右に延びているので、それらの表示部２０，２１を斜め右方向や斜め左方向からも見ることができる。この場合も斜め上方から見るときと同様に見かけ上の距離が長くなるので拡大率がアップして表示部２０，２１をより一層大きく拡大して見ることができる。
【００３３】
尚、本実施形態では貼着部１１の全体が容器１の胴部５に貼着されていたが、例えば、図７（ａ）のように貼着部１１の上部が肩部６に跨っていてもよい。また、非貼着部１２も図２のように略垂直上方に起立している場合の他、図７（ａ）のように容器１の肩部６や口部７、キャップ３に接近するように内側に向けて斜めに傾斜していてもよい。但し、図２のように非貼着部１２が略垂直上方に起立していると、容器１の肩部６や口部７、キャップ３との間の離間距離が大きくなって拡大率が大きくなるので好ましい。
【００３４】
また、図７（ｂ）のように貼着部１１においてラベル基材１３と粘着剤層１４との間に別の層１５を介在させて容器１から非貼着部１２をより一層離間させるようにしてもよい。同様に、貼着部１１においてラベル基材１３を二重構造としてもよい。更に、非貼着部１２の高さも種々変更可能であって、図２のようにキャップ３の外周面の前方まで達する高さでなくてもよく、図７（ｂ）のように容器１の口部７よりも低い高さであってもよい。非貼着部１２の横方向の寸法についても同様に種々変更可能である。
【００３５】
また、上記実施形態では貼着部１１を幅狭部とし非貼着部１２を幅広部として非貼着部１２が略平面になるように構成したが、例えば、タックラベル１０の上下方向の中途部に、タックラベル１０を上下二つの領域に区画するための切り込み線１６を形成するようにしてもよい。具体的には、図８のように、タックラベル１０の左右両端部にそれぞれ切り込み線１６を形成する。左右一対の切り込み線１６は水平方向に沿って延びていて互いに一直線上に形成することができる。このように左右両端部にそれぞれ切り込み線１６を形成することによりタックラベル１０を上下二つの領域に区画することができ、切り込み線１６よりも下側の領域を貼着部１１とし、切り込み線１６よりも上側の領域を非貼着部１２とすると共に該非貼着部１２を貼着状態において略平面の状態とすることができる。尚、切り込み線１６に代えて横方向に沿って延びるスリット状の切欠部やＶ字状の切欠部等を形成してもよい。
【００３６】
更に、タックラベル１０を容器１の胴部５に貼着する場合について説明したが、貼着位置についても変更可能であり、例えば図９（ａ）のようにタックラベル１０の基端部をキャップ３の天面に貼着してタックラベル１０の先端側の部分がキャップ３の天面から容器１の肩部６に向けて垂れ下がる形態としてもよい。この場合、タックラベル１０の形状もそれに対応して変更可能であって、例えば図９（ｂ）のようにタックラベル１０の一端にキャップ３の天面よりも小径の円形の貼着部１１を形成し、他端には貼着部１１よりも同サイズあるいは大型の例えば円形の主部１７を形成し、貼着部１１と主部１７との間を細い腕部１８で連結するという構成にすることができる。この場合、腕部１８と主部１７が非貼着部１２であり、主部１７と腕部１８の全体又は大部分が容器１から前方に離間した離間部となる。そして、例えば、主部１７の全体を拡大レンズ部とすることができる。尚、腕部１８も拡大レンズ部として構成してもよい。また、主部１７の全体ではなくその一部を拡大レンズ部としてもよい。
【００３７】
また更に、図１０（ａ）のようにタックラベル１０の先端部を容器１に接近する方向である内側に折り曲げて容器１に当接することにより容器１との間の離間距離を維持する支持片部４０を設けるようにしてもよい。該支持片部４０が当たる容器１の箇所は任意であるが、例えば胴部５とすることができる。このようにタックラベル１０の先端部を折り曲げて容器１に当接させることで、タックラベル１０の離間部が容器１に接近し過ぎることが防止される。タックラベル１０の離間部と容器１との間の離間距離が保持されることにより、離間部の拡大レンズ部と容器１との間の離間距離が保持されることになって、拡大レンズ部を通して見る容器１の表示部２０や表示部２１等の像が安定すると共に、一定の拡大率が確保されることになる。また、図１０（ｂ）にも示しているように、支持片部４０を折り曲げる折り曲げ部４２には各種の折り曲げ罫線を形成しておくことが好ましい。また、支持片部４０の先端４０ａの形状は例えば直線状であってもよいが、当接する容器１の箇所の形状に対応した形状としておくことが好ましく、例えば断面円形の胴部５に支持片部４０が当接する場合には図１０（ｂ）のように支持片部４０の先端４０ａを胴部５の形状に沿うように円弧状に形成しておくことが好ましい。胴部５の形状が断面円形以外の場合であっても同様であってその形状に沿うように支持片部４０の先端４０ａの形状を形成することが好ましい。タックラベル１０は垂れ下がっている形態であるため、容器１に対して内外方向のみならず横方向にも動きやすいのであるが、支持片部４０の先端４０ａの形状を容器１に沿う形状とすることで、拡大レンズ部と容器１との間の離間距離が保持されると共に、容器１に対する拡大レンズ部の横方向の位置ずれも防止できる。尚、タックラベル１０の先端部を折り曲げて支持片部４０とする構成以外にも、例えば、タックラベル１０の側縁部を内側に折り曲げて支持片部４０を形成するようにしてもよく、何れにしてもタックラベル１０の一部を容器１に向けて内側に折り曲げることで支持片部４０を形成するようにすれば離間距離が維持できてよい。
【００３８】
また、拡大レンズ部をタックラベル１０とは別体に形成してそれを取り付けた構成としてもよい。例えば、図１１のように、タックラベル１０の先端部に、タックラベル１０とは別部材の構成とされた、拡大レンズシートからなるレンズ体４１を接着し、そのレンズ体４１により拡大レンズ部を構成してもよい。更に、そのレンズ体４１の上部を内側に折り曲げて容器１に当接する支持片部４０を形成するように構成してもよく、それによって拡大レンズ部と容器１との間の離間距離が保持されるようにしてもよい。図１１のようにレンズ体４１の上部を斜め下方に折り曲げて容器１の肩部６に斜め上方から当接するようにすれば、レンズ体４１の下部からなる拡大レンズ部と容器１との離間距離が保持されやすい。尚、レンズ体４１の下部を内側に折り曲げて容器１に当接する支持片部４０を形成してもよい。
【００３９】
また、容器１の形状も任意であって種々の形状の容器１に対応してタックラベル１０を貼着するようにすればよい。例えば、図１２（ａ）のように箱形の容器１であってもよく、その天面６０の表示部２２を拡大視認できる位置にタックラベル１０を貼着する。タックラベル１０の下部である貼着部１１を容器１の側面６１の上部に貼着し、タックラベル１０の上部である非貼着部１１が容器１の側面６１の上端から上方に突出するようにする。タックラベル１０の非貼着部１１は離間部であり、その非貼着部１１に拡大レンズ部を設けることにより、容器１の天面６０の表示部２２を拡大レンズ部を介して斜め上方から拡大して見ることができる。尚、図１２（ｂ）にも示しているように、タックラベル１０の上部である非貼着部１１は、容器１の側面６１の上端を折り曲げ位置として容器１の天面６０に近づくように傾斜させることが好ましく、表示部２２が視認しやすくなる。
【００４０】
また、図１３（ａ）のように円筒状の容器１の天面６０にタックラベル１０を貼着してもよい。その場合、タックラベル１０を二つ折りとし、その下部を貼着部１１として容器１の天面６０に貼着し、その上部を非貼着部１２として容器１の天面６０から上方に突出させる。その非貼着部１２に拡大レンズ部を設けることにより、非貼着部１２を介して容器１の天面６０の表示部（図示省略）を拡大視認できる。尚、この場合も非貼着部１２を垂直ではなく斜めに傾斜させることにより、容器１の天面６０が視認しやすくなる。また、タックラベル１０の折り曲げ状態を維持し、非貼着部１２の拡大レンズ部を所定の起立状態に保持するために、タックラベル１０の折り曲げ部５２に非貼着部１２から延びる支持凸部５０を形成することが好ましい。図１３（ｂ）にタックラベル１０の正面図を示しているが、貼着部１１と非貼着部１２の境界線を折り曲げ部５２とすることができる。そして、その折り曲げ部５２の中央部に例えばコの字状やＵ字状の切り込み線５１を貼着部１１側に向けて突設することにより、その内側を支持凸部５０として構成することができ、容器１への貼着状態において、非貼着部１２の下端中央部に下方に支持凸部５０を延設することができる。尚、折り曲げ部５２には各種の折り曲げ罫線を形成しておくことも好ましい。
【００４１】
また、タックラベル１０が貼着される被着体である物品は上述したような容器１には限られず中実状や中空状の各種の物品であってもよい。従って、例えば図１２や図１３に示した容器１はそれぞれ直方体の物品や円柱状の物品であってもよい。
【００４２】
尚、上記実施形態では、ラベル基材１３の裏面全体に粘着剤層１４を形成したが、ラベル基材１３の一部に粘着剤層１４を形成してもよい。即ち、粘着剤層１４が形成された領域を貼着部１１とし、粘着剤層１４が形成されていない領域を非貼着部１２としてもよい。
【符号の説明】
【００４３】
１    容器
２    熱収縮性ラベル
２ａ  上端
２ｂ  下端
３    キャップ
３ａ  開封用切離線
５    胴部
６    肩部
７    口部
８    底部
１０    タックラベル
１１    貼着部
１２    非貼着部（離間部）
１３    ラベル基材
１４    粘着剤層
１５    層
１６    切り込み線
１７    主部
１８    腕部
２０    表示部
２１    表示部
２２    表示部
３０    マスキング層
３１    接着剤層
３２    拡大レンズシート
３３    マイクロレンズ部
３４    放射線硬化型樹脂層
３５    印刷層
３６    着色層
３７    印刷層
４０    支持片部
４０ａ  先端
４１    レンズ体
４２    折り曲げ部
５０    支持凸部
５１    切り込み線
５２    折り曲げ部
６０    天面
６１    側面
【図１】
2016030642.tif 000003
【図２】
2016030642.tif 000004
【図３】
2016030642.tif 000005
【図４】
2016030642.tif 000006
【図５】
2016030642.tif 000007
【図６】
2016030642.tif 000008
【図７】
2016030642.tif 000009
【図８】
2016030642.tif 000010
【図９】
2016030642.tif 000011
【図１０】
2016030642.tif 000012
【図１１】
2016030642.tif 000013
【図１２】
2016030642.tif 000014
【図１３】
2016030642.tif 000015